(57)【要約】【課題】暗算のノウハウを段階的に習得できるように四則演算の暗算の練習を支援するコンピュータシステムを提供する。【解決手段】本発明のコンピュータシステム１０は、数字を入力する入力部１１と、入力部１１から入力された数字と暗算の問題とを表示する表示部１２と、暗算の問題を記憶する記憶部１３と、記憶部１３から暗算の問題を選択し、選択した暗算の問題を当該暗算の問題に対応したパターンで表示部１２に表示するように制御する暗算支援制御部１４と、を備えることを特徴とする。【選択図】　図１
2004054211.tif 000002
【特許請求の範囲】
【請求項１】
暗算の練習を支援するコンピュータシステムであって、
数字を入力する入力手段と、
前記入力手段から入力された数字と暗算の問題とを表示する表示手段と、
暗算の問題を記憶する記憶手段と、
前記記憶手段から暗算の問題を選択し、選択した前記暗算の問題を当該暗算の問題に対応したパターンで前記表示手段に表示するように制御する暗算支援制御手段と、
を備えることを特徴とするコンピュータシステム。
【請求項２】
前記暗算支援制御手段は、前記暗算の問題の表示の際に、前記暗算の問題の数字の桁数と演算子を最初に表示する、ことを特徴とする請求項１記載のコンピュータシステム。
【請求項３】
前記暗算支援制御手段は、前記暗算の問題の数字を、前記暗算の問題に応じた所定のパターンで表示する、ことを特徴とする請求項２記載のコンピュータシステム。
【請求項４】
前記所定のパターンは、前記暗算の問題の数字を演算項の順に位の大きい桁から表示し、各桁の数字を表示する時間間隔を所定の時間間隔で行うパターンである、ことを特徴とする請求項３記載のコンピュータシステム。
【請求項５】
前記暗算支援制御手段は、前記暗算の問題が第１の演算項の数字に、二桁の数字を加算する場合、前記二桁の数字の十の位の数字と一の位の数字を表示する時間間隔を、他の場合の時間間隔よりも長くする、ことを特徴とする請求項４記載のコンピュータシステム。
【請求項６】
前記暗算支援制御手段は、前記暗算の問題を段階的に出題する、ことを特徴とする請求項１から５何れか記載のコンピュータシステム。
【請求項７】
前記暗算支援制御手段は、第１段階として「２つの数字を足して、答えが９になるパターン」、第２段階として「２つの数字を足して答えが１０になるパターン」、第３段階として「繰り上がりのある一桁の加算」、第４段階として「一桁と二桁の加算」、第５段階として「十の位が１〜８の場合の二桁同士の加算」、第６段階として「十の位が９を含む数字の二桁同士の加算」、第７段階として「虫食い算」、の順に段階的に出題する、ことを特徴とする請求項６記載のコンピュータシステム。
【請求項８】
暗算問題を出題し個人成績を管理する問題管理サーバであって、
ネットワークに接続され、当該ネットワークに接続されているユーザ側のコンピュータとの間で通信を行う通信制御手段と、
暗算の問題を記憶する問題情報記憶手段と、
前記問題情報記憶手段から暗算の問題を選択し、選択した前記暗算の問題を当該暗算の問題に対応したパターンでユーザ側のコンピュータに提供する問題提供処理手段と、
を備えることを特徴とする問題管理サーバ。
【請求項９】
前記問題提供処理手段は、前記暗算の問題を前記ユーザ側のコンピュータに提供する際に、前記ユーザ側のコンピュータで前記暗算の問題の数字の桁数と演算子を最初に表示するようにする、ことを特徴とする請求項８記載の問題管理サーバ。
【請求項１０】
前記問題提供処理手段は、前記暗算の問題を前記ユーザ側のコンピュータに提供する際に、前記ユーザ側のコンピュータで前記暗算の問題の数字を、前記暗算の問題に応じた所定のパターンで表示するようにする、ことを特徴とする請求項９記載の問題管理サーバ。
【請求項１１】
前記所定のパターンは、前記暗算の問題の数字を演算項の順に位の大きい桁から表示し、各桁の数字を表示する時間間隔を所定の時間間隔で行うパターンである、ことを特徴とする請求項１０記載の問題管理サーバ。
【請求項１２】
前記問題提供処理手段は、前記暗算の問題を前記ユーザ側のコンピュータに提供する際に、前記ユーザ側のコンピュータで前記暗算の問題が第１の演算項の数字に、二桁の数字を加算する場合、前記二桁の数字の十の位の数字と一の位の数字を表示する時間間隔を、他の場合の時間間隔よりも長くするようにする、ことを特徴とする請求項１１記載の問題管理サーバ。
【請求項１３】
前記問題提供処理手段は、前記暗算の問題を前記ユーザ側のコンピュータに提供する際に、前記ユーザ側のコンピュータで前記暗算の問題が段階的に出題されるようにする、ことを特徴とする請求項８から１２何れか記載の問題管理サーバ。
【請求項１４】
前記問題提供処理手段は、前記暗算の問題を前記ユーザ側のコンピュータに提供する際に、前記ユーザ側のコンピュータで第１段階として「２つの数字を足して、答えが９になるパターン」、第２段階として「２つの数字を足して答えが１０になるパターン」、第３段階として「繰り上がりのある一桁の加算」、第４段階として「一桁と二桁の加算」、第５段階として「十の位が１〜８の場合の二桁同士の加算」、第６段階として「十の位が９を含む数字の二桁同士の加算」、第７段階として「虫食い算」、の順に段階的に出題されるようにする、ことを特徴とする請求項１３記載の問題管理サーバ。
【請求項１５】
さらに、ユーザ毎の成績を記憶する個人情報記憶手段を備える、ことを特徴とする請求項８から１４何れか記載の問題管理サーバ。
【請求項１６】
前記通信制御手段は、前記暗算の問題を前記ユーザ側のコンピュータにＷｅｂページによって提供する、ことを特徴とする請求項８から１５何れか記載の問題管理サーバ。
【請求項１７】
前記通信制御手段は、前記暗算の問題を前記ユーザ側のコンピュータに電子メールによって提供する、ことを特徴とする請求項１６記載の問題管理サーバ。
【請求項１８】
ユーザ側のコンピュータに暗算の問題を提供し、ユーザの暗算練習を支援する暗算練習支援システムであって、
ユーザ側のコンピュータに問題を提供し、ユーザの成績を管理する問題管理サーバと、
前記問題管理サーバから暗算の問題を提供され、前記問題管理サーバに当該問題の答えを通知するユーザ側のコンピュータと、
前記問題管理サーバ及び前記ユーザ側のコンピュータを通信可能に接続するネットワークと、
を備え、
前記問題管理サーバは、前記請求項８から１７何れか記載の問題管理サーバである、
ことを特徴とする暗算練習支援システム。
【請求項１９】
コンピュータによって暗算の練習を支援する暗算練習支援方法であって、
（Ａ）予め暗算の問題を記憶し、
（Ｂ）記憶した暗算の問題から所定の問題を選択し、
（Ｃ）選択した前記所定の問題を当該問題に対応したパターンで表示する、
ことを特徴とする暗算練習支援方法。
【請求項２０】
前記ステップ（Ｃ）は、前記所定の問題の表示の際に、前記問題の数字の桁数と演算子を最初に表示する、ことを特徴とする請求項１９記載の暗算練習支援方法。
【請求項２１】
前記ステップ（Ｃ）は、前記所定の問題の数字を、前記問題に応じた所定のパターンで表示する、ことを特徴とする請求項２０記載の暗算練習支援方法。
【請求項２２】
前記ステップ（Ｃ）は、前記所定の問題の数字を演算項の順に位の大きい桁から表示し、各桁の数字を表示する時間間隔を所定の時間間隔で行う、ことを特徴とする請求項２１記載の暗算練習支援方法。
【請求項２３】
前記ステップ（Ｃ）は、前記所定の問題が第１の演算項の数字に、二桁の数字を加算する場合、前記二桁の数字の十の位の数字と一の位の数字を表示する時間間隔を、他の場合の時間間隔よりも長くする、ことを特徴とする請求項２２記載の暗算練習支援方法。
【請求項２４】
前記ステップ（Ｂ）は、前記所定の問題を段階的に選択する、ことを特徴とする請求項１９から２３何れか記載の暗算練習支援方法。
【請求項２５】
前記ステップ（Ｂ）は、第１段階として「２つの数字を足して、答えが９になるパターン」、第２段階として「２つの数字を足して答えが１０になるパターン」、第３段階として「繰り上がりのある一桁の加算」、第４段階として「一桁と二桁の加算」、第５段階として「十の位が１〜８の場合の二桁同士の加算」、第６段階として「十の位が９を含む数字の二桁同士の加算」、第７段階として「虫食い算」、の順に選択する、ことを特徴とする請求項２４記載の暗算練習支援方法。
【請求項２６】
コンピュータに暗算練習を支援するためのアプリケーションを実行させるためのプログラムであって、
前記請求項１乃至７記載のコンピュータシステムの機能を、コンピュータに実現させるためのプログラム。
【請求項２７】
コンピュータに暗算練習を支援するためのアプリケーションを実行させるためのプログラムであって、
前記請求項１９乃至２５記載の暗算練習支援方法の処理を、コンピュータに実現させるためのプログラム。
【発明の詳細な説明】
【０００１】
【発明の属する技術分野】
本発明は、四則演算の暗算の練習を支援するコンピュータシステム、問題管理サーバ、暗算練習支援システム、暗算練習支援方法及びプログラムに関する。特には、暗算のノウハウを段階的に習得できるように四則演算の暗算の練習を支援するコンピュータシステム、問題管理サーバ、暗算練習支援システム、暗算練習支援方法及びプログラムに関する。
【０００２】
【従来の技術】
現在、四則演算の暗算を正確且つ迅速に行う方法が幾つか紹介され、そのノウハウをまとめた書籍やビデオなどが販売されている。
【０００３】
【発明が解決しようとする課題】
しかしながら、現在販売されている書籍やビデオでは、暗算のノウハウを開示するのみでその習得は、各個人に委ねられているのが現状である。したがって、暗算方法の習得は、これらの書籍やビデオを利用する個人の力量に左右され、暗算の練習が必ずしも効果的に行われるとは限らなかった。
【０００４】
したがって、本発明はこのような問題点に鑑みてなされたもので、その目的は、暗算のノウハウを段階的に習得できるように四則演算の暗算の練習を支援するコンピュータシステム、問題管理サーバ、暗算練習支援システム、暗算練習支援方法及びプログラムを提供することである。
【０００５】
【課題を解決するための手段】
上記課題を解決するため、本発明のコンピュータシステムは、暗算の練習を支援するコンピュータシステムであって、数字を入力する入力手段と、入力手段から入力された数字と暗算の問題とを表示する表示手段と、暗算の問題を記憶する記憶手段と、記憶手段から暗算の問題を選択し、選択した暗算の問題を当該暗算の問題に対応したパターンで表示手段に表示するように制御する暗算支援制御手段と、を備えることを特徴とする。
【０００６】
ここで、暗算支援制御手段は、暗算の問題の表示の際に、暗算の問題の数字の桁数と演算子を最初に表示する、ようにするとよい。
【０００７】
このとき、暗算支援制御手段は、暗算の問題の数字を、暗算の問題に応じた所定のパターンで表示する、ようにし、この所定のパターンは、暗算の問題の数字を演算項の順に位の大きい桁から表示し、各桁の数字を表示する時間間隔を所定の時間間隔で行うパターンである、ようにするとよい。
【０００８】
また、暗算支援制御手段は、暗算の問題が第１の演算項の数字に、二桁の数字を加算する場合、二桁の数字の十の位の数字と一の位の数字を表示する時間間隔を、他の場合の時間間隔よりも長くする、ことができる。
【０００９】
また、暗算支援制御手段は、暗算の問題を段階的に出題する、ことができ、第１段階として「２つの数字を足して、答えが９になるパターン」、第２段階として「２つの数字を足して答えが１０になるパターン」、第３段階として「繰り上がりのある一桁の加算」、第４段階として「一桁と二桁の加算」、第５段階として「十の位が１〜８の場合の二桁同士の加算」、第６段階として「十の位が９を含む数字の二桁同士の加算」、第７段階として「虫食い算」、の順に段階的に出題する、ようにするとよい。
【００１０】
また、入力手段と表示手段は、クライアントに設けられ、記憶手段と暗算支援制御手段はサーバに設けられ、クライアントとサーバを接続するネットワークを備える、ようにしてもよい。
【００１１】
また、上記課題を解決するため、本発明の問題管理サーバは、暗算問題を出題し個人成績を管理する問題管理サーバであって、ネットワークに接続され、当該ネットワークに接続されているユーザ側のコンピュータとの間で通信を行う通信制御手段と、暗算の問題を記憶する問題情報記憶手段と、問題情報記憶手段から暗算の問題を選択し、選択した暗算の問題を当該暗算の問題に対応したパターンでユーザ側のコンピュータに提供する問題提供処理手段と、を備えることを特徴とする。
【００１２】
ここで、問題提供処理手段は、暗算の問題をユーザ側のコンピュータに提供する際に、ユーザ側のコンピュータで暗算の問題の数字の桁数と演算子を最初に表示するようにする、ことができる。
【００１３】
また、問題提供処理手段は、暗算の問題をユーザ側のコンピュータに提供する際に、ユーザ側のコンピュータで暗算の問題の数字を、暗算の問題に応じた所定のパターンで表示するようにする、ことができる。
【００１４】
また、所定のパターンは、暗算の問題の数字を演算項の順に位の大きい桁から表示し、各桁の数字を表示する時間間隔を所定の時間間隔で行うパターンである、ことができる。
【００１５】
また、問題提供処理手段は、暗算の問題をユーザ側のコンピュータに提供する際に、ユーザ側のコンピュータで暗算の問題が第１の演算項の数字に、二桁の数字を加算する場合、二桁の数字の十の位の数字と一の位の数字を表示する時間間隔を、他の場合の時間間隔よりも長くするようにする、ことができる。
【００１６】
ここｄ、問題提供処理手段は、暗算の問題をユーザ側のコンピュータに提供する際に、ユーザ側のコンピュータで暗算の問題が段階的に出題されるようにする、とよい。
【００１７】
また、問題提供処理手段は、暗算の問題をユーザ側のコンピュータに提供する際に、ユーザ側のコンピュータで第１段階として「２つの数字を足して、答えが９になるパターン」、第２段階として「２つの数字を足して答えが１０になるパターン」、第３段階として「繰り上がりのある一桁の加算」、第４段階として「一桁と二桁の加算」、第５段階として「十の位が１〜８の場合の二桁同士の加算」、第６段階として「十の位が９を含む数字の二桁同士の加算」、第７段階として「虫食い算」、の順に段階的に出題されるようにする、ことができる。
【００１８】
さらに、ユーザ毎の成績を記憶する個人情報記憶手段を備える、ことができる。
【００１９】
また、さらに、通信制御手段は、暗算の問題をユーザ側のコンピュータにＷｅｂページによって提供する、ことができ、又は、電子メールによって提供する、こともできる。
【００２０】
また、上記課題を解決するため、本発明の暗算練習支援システムは、ユーザ側のコンピュータに暗算の問題を提供し、ユーザの暗算練習を支援する暗算練習支援システムであって、ユーザ側のコンピュータに問題を提供し、ユーザの成績を管理する問題管理サーバと、問題管理サーバから暗算の問題を提供され、問題管理サーバに当該問題の答えを通知するユーザ側のコンピュータと、問題管理サーバ及びユーザ側のコンピュータを通信可能に接続するネットワークと、を備え、問題管理サーバは、上述の問題管理サーバである、ことを特徴とする。
【００２１】
また、上記課題を解決するため、本発明の暗算練習支援方法は、コンピュータによって暗算の練習を支援する暗算練習支援方法であって、（Ａ）予め暗算の問題を記憶し、（Ｂ）記憶した暗算の問題から所定の問題を選択し、（Ｃ）選択した所定の問題を当該問題に対応したパターンで表示する、ことを特徴とする。
【００２２】
ここで、ステップ（Ｃ）は、所定の問題の表示の際に、問題の数字の桁数と演算子を最初に表示する、ことができる。
【００２３】
このとき、ステップ（Ｃ）は、所定の問題の数字を、問題に応じた所定のパターンで表示することができる。
【００２４】
ここで、ステップ（Ｃ）は、各桁の数字を表示する時間間隔を所定の時間間隔で行い、所定の問題が第１の演算項の数字に、２桁の数字を加算する場合、二桁の数字の十の位の数字と一の位の数字を表示する時間間隔を、他の場合の時間間隔よりも長くする、ことができる。
【００２５】
また、ステップ（Ｂ）は、所定の問題を段階的に選択する、ことができ、第１段階として「２つの数字を足して、答えが９になるパターン」、第２段階として「２つの数字を足して答えが１０になるパターン」、第３段階として「繰り上がりのある一桁の加算」、第４段階として「一桁と二桁の加算」、第５段階として「十の位が１〜８の場合の二桁同士の加算」、第６段階として「十の位が９を含む数字の二桁同士の加算」、第７段階として「虫食い算」、の順に選択する、ようにするとよい。
【００２６】
また、上記課題を解決するため、本発明の第１の態様のプログラムは、コンピュータに暗算練習を支援するためのアプリケーションを実行させるためのプログラムであって、上述のコンピュータシステムの機能を、コンピュータに実現させる、ことを特徴とする。
【００２７】
また、上記課題を解決するため、本発明の第２の態様のプログラムは、コンピュータに暗算練習を支援するためのアプリケーションを実行させるためのプログラムであって、上述の暗算練習支援方法の処理を、コンピュータに実現させる、ことを特徴とする。
【００２８】
【発明の実施の形態】
以下、本発明のコンピュータシステム、問題管理サーバ、暗算練習支援システム、暗算練習支援方法及びプログラムについて、図面を参照しつつ詳細に説明する。
【００２９】
図１は、本発明の暗算の練習を支援するコンピュータシステムを示す図である。図１において、このコンピュータシステム１０は、数字を入力する入力部１１と、入力部１１から入力された数字と暗算の問題とを表示する表示部１２と、暗算の問題を記憶する記憶部１３と、記憶部１３から暗算の問題を選択し、選択した暗算の問題を当該暗算の問題に対応したパターンで表示部１２に表示するように制御する暗算支援制御部１４と、を備える。
【００３０】
図２は、暗算の問題の表示例を示す図である。暗算支援制御部１４は、図２（Ａ）に示すように、暗算の問題の表示の際に、暗算の問題の数字の桁数（四角で表示）と演算子（＋，−，×，÷，＝）を最初に表示する。
【００３１】
ここで、暗算支援制御部１４は、暗算の問題の数字を、暗算の問題に応じた所定のパターンで表示する。例えば、図２（Ｂ）〜（Ｅ）に示すように、暗算の問題の数字を演算項の順に位の大きい桁から表示し（図２においては、２−＞３−＞５−＞４の順）、各桁の数字を表示する時間間隔を所定の時間間隔で行う。
【００３２】
ここで、暗算支援制御部１４は、暗算の問題が第１の演算項の数字（２３）に、二桁の数字（５４）を加算する場合、二桁の数字の十の位の数字（５）と一の位の数字（４）を表示する時間間隔を、他の場合の時間間隔よりも長くする。例えば、図２において、「２−＞３」及び「３−＞５」の表示時間間隔を０．５秒とし、「５−＞４」の表示時間間隔を１秒にする。
【００３３】
また、暗算支援制御部１４は、暗算の問題を段階的に出題し、第１段階として「２つの数字を足して、答えが９になるパターン」、第２段階として「２つの数字を足して答えが１０になるパターン」、第３段階として「繰り上がりのある一桁の加算」、第４段階として「一桁と二桁の加算」、第５段階として「十の位が１〜８の場合の二桁同士の加算」、第６段階として「十の位が９を含む数字の二桁同士の加算」、第７段階として「虫食い算」、の順に出題する。
【００３４】
この第５段階の出題の際に、上述した時間間隔を利用する。すなわち、暗算支援制御部１４は、図２において、「２−＞３」及び「３−＞５」の表示時間間隔を０．５秒とし、「５−＞４」の表示時間間隔を１秒にする。これにより、利用者は、最初に十の位の計算を行う癖がつき易くなり、効果的な暗算ノウハウの習得が可能となる。
【００３５】
第５段階の出題として、例えば、「２３＋５４」の場合、いきなり二桁同士の足し算をせずに、表示の左から右へ、目に入った数字から順に加算していく。左から見ていくと、「２３＋５□（ごじゅう・・・、図２（Ｄ））」、ここで一の位は無視して、すぐに「２３＋５０」を計算するように表示する。ユーザは、答え「７３」を計算し、それから、次に表示する「４」をこの「７３」に足すようになる。したがって、「７３＋４」を計算し、答えの７７を容易に得ることができる。すなわち、「二桁同士の計算は、先に十の位だけを足して、残りを足せば、楽に計算できる」ことが習得できる。
【００３６】
また、第６段階の出題として、例えば、「３４＋９７」の場合、９７に３を足して１００として計算（「３４＋１００＝１３４」）するように表示する。次に、足した３を引いて元に戻すように表示し、「１３４−３＝１３１」を計算させる。すなわち、この段階では、１００に近い数字や１０００に近い数字のときは、１００や１０００として足してしまって、後から足した分を引く方法を示唆するように表示する。これにより、「１００に近い数字や１０００に近い数字の暗算方法」を習得することができる。この段階では、第１段階及び第２段階の習得が効果を高めることになる。
【００３７】
図３は、コンピュータによって暗算の練習を支援する暗算練習支援方法を示すフローチャートである。図１及び図３において、この暗算練習支援方法は、記憶部１３に予め暗算の問題を記憶しておく（ステップ３０１）。
【００３８】
暗算支援制御部１４は、記憶部１３に記憶してある暗算の問題から所定の問題を選択する（ステップ３０２）。
【００３９】
そして、選択した所定の問題を当該問題に対応したパターンで表示する（ステップ３０３）。すなわち、図２に示した方法や上述した段階パターンで表示する。
【００４０】
以上、本発明のコンピュータシステム及び暗算練習支援方法の実施の形態を示したが、上述のコンピュータシステム１０の機能及び暗算練習支援方法の処理を、コンピュータに暗算練習を支援するためのアプリケーションを実行させるためのプログラムとすることができる。
【００４１】
また、入力部１１と表示部１２をクライアントに設け、記憶部１３と暗算支援制御部１４をサーバに設け、クライアントとサーバを接続するネットワークを備えるようにしてもよい。
【００４２】
図４は、本発明の暗算練習支援システムを示す。この暗算練習支援システムは、ユーザ側ＰＣ５０に問題を提供し、ユーザの成績を管理する問題管理サーバ２０と、問題管理サーバ２０から暗算の問題を提供され、問題管理サーバ２０に当該問題の答えを通知するユーザ側ＰＣ５０と、問題管理サーバ２０及びユーザ側ＰＣ５０を通信可能にするインターネット４０と、ユーザ側ＰＣ５０とインターネット４０を接続するプロバイダ３０と、を備える。
【００４３】
図５は、本発明の問題管理サーバを示す。この問題管理サーバ２０は、インターネット４０に接続され、当該インターネット４０に通信可能に接続されているユーザ側ＰＣ５０（図４）との間で通信を行う通信制御部２１と、暗算の問題を記憶する問題情報ＤＢ２３と、問題情報ＤＢ２３から暗算の問題を選択し、選択した暗算の問題を当該暗算の問題に対応したパターンでユーザ側ＰＣ５０に提供する問題提供処理部２２と、ユーザ毎の成績を記憶する個人情報ＤＢ２７と、問題などの入力を行う入力部２５と、問題や成績などを表示する表示部２４と、Ｗｅｂページを記憶するＷｅｂＤＢ２６と、を備える。
【００４４】
ここで、問題提供処理部２２は、上述した暗算支援制御部１４と同様の機能を有し、図１〜図３で説明したようにして、ユーザ側ＰＣ５０の表示部に問題を表示するように制御する。
【００４５】
また、通信制御部２１は、暗算の問題をユーザ側ＰＣ５０にＷｅｂページ及び／又は電子メールによって提供する。
【００４６】
【発明の効果】
以上述べた通り、本発明のコンピュータシステム、問題管理サーバ、暗算練習支援システム、暗算練習支援方法及びプログラムによれば、問題の表示を所定のパターンで行うことによって、暗算のノウハウを効果的に習得できるようになった。
【図面の簡単な説明】
【図１】本発明によるコンピュータシステムの実施の一形態を示す概略図である。
【図２】本発明のコンピュータシステムによる問題の表示方法を示す概略図である。
【図３】本発明の暗算練習支援方法を示すフローチャートである。
【図４】本発明の暗算練習支援システムを示す図である。
【図５】本発明の問題管理サーバを示す図である。
【符号の説明】
１０　コンピュータシステム
１１　入力部
１２　表示部
１３　記憶部
１４　暗算支援制御部
２０　問題管理サーバ
２１　通信制御部
２２　問題提供処理部
２３　問題情報ＤＢ
２４　表示部２４
２５　入力部
２６　ＷｅｂＤＢ
２７　個人情報ＤＢ
３０　プロバイダ
４０　インターネット
５０　ユーザ側ＰＣ
【図１】
2004054211.tif 000003
【図２】
2004054211.tif 000004
【図３】
2004054211.tif 000005
【図４】
2004054211.tif 000006
【図５】
2004054211.tif 000007